(57)【特許請求の範囲】
【請求項１】
静電容量方式の複数のセンサ電極を有するタッチパネルを含む表示装置と、  前記表示装置への第１の画面の表示中は、前記タッチパネルの特定の領域内でのタッチ位置を検出するために前記複数のセンサ電極のうちスキャンするセンサ電極の数を第１の数とし、前記表示装置への第２の画面の表示中は、前記タッチパネルの前記特定の領域内でのタッチ位置を検出するために前記複数のセンサ電極のうちスキャンするセンサ電極の数を前記第１の数よりも少ない第２の数とするように前記タッチパネルを制御する制御手段とを有し、
前記特定の領域は、前記第１の画面の表示中において、その全体がタッチ可能領域であり、かつ、前記第２の画面の表示中において、その全体にタッチアイテムが表示される領域であることを特徴とする電子機器。
【請求項２】
前記制御手段は、前記第２の画面である場合には、前記タッチパネルの前記特定の領域内に対するタッチ位置を検出するために前記複数のセンサ電極のうちスキャンするセンサ電極を、前記第１の画面である場合よりも間引くことを特徴とする請求項１に記載の電子機器。
【請求項３】
前記制御手段は、前記第２の画面である場合には、前記タッチパネルの前記特定の領域内に対するタッチ位置を検出するために前記複数のセンサ電極のうちスキャンするセンサ電極を、前記第１の画面である場合と比べて千鳥状に間引くことを特徴とする請求項１に記載の電子機器。
【請求項４】
前記第２の画面は、タッチ位置の検出精度が前記第１の画面よりも相対的に低い検出精度で足りる画面であることを特徴とする請求項１乃至３のいずれか１項に記載の電子機器。
【請求項５】
前記複数のセンサ電極は、二次元平面上に格子状に配置され、列方向に接続されて行方向に配列された複数の列電極と、前記行方向に接続されて前記列方向に配列された複数の行電極を構成することを特徴とする請求項１乃至４のいずれか１項に記載の電子機器。
【請求項６】
前記第２の画面は、前記行方向の幅が前記複数のセンサ電極のうち前記列方向に接続された列電極の１本分の幅よりも長いタッチアイテムを含み、
前記制御手段は、前記複数の列電極を間引いて前記タッチアイテムに対してスキャンを行うことを特徴とする請求項５に記載の電子機器。
【請求項７】
前記第２の画面は、前記列方向の幅が前記複数のセンサ電極のうち前記行方向に接続された行電極の１本分の幅よりも長いタッチアイテムを含み、
前記制御手段は、前記複数の行電極を間引いて前記タッチアイテムに対してスキャンを行うことを特徴とする請求項５又は６に記載の電子機器。
【請求項８】
前記第２の画面の表示中において前記特定の領域に表示される前記タッチアイテムは、前記複数のセンサ電極のうち少なくとも２つのセンサ電極を含む大きさを有することを特徴とする請求項１乃至７のいずれか１項に記載の電子機器。
【請求項９】
前記第１の画面は、前記特定の領域に表示される１つまたは複数のタッチアイテムのうち最も小さいタッチアイテムが前記複数のセンサ電極のうちの１つのセンサ電極の大きさ未満である画面、タッチ位置の軌跡に応じた描画を行うタッチ描画画面または動くタッチ対象をタッチする画面のいずれかの画面であることを特徴とする請求項１乃至８のいずれか１項に記載の電子機器。
【請求項１０】
タッチ位置の軌跡に応じた描画を行う画面のうち、タッチ位置の軌跡に対して描画するオブジェクトの太さの設定が所定サイズより細い場合を前記第１の画面とし、タッチ位置の軌跡に対して描画するオブジェクトの太さの設定が所定サイズ以上に太い場合を前記第２の画面とすることを特徴とする請求項１乃至９のいずれか１項に記載の電子機器。
【請求項１１】
撮像手段を有し、
前記第１の画面は、前記撮像手段で撮像されたライブビュー画像を表示する画面であり、
前記タッチパネルに対するタッチ操作により、タッチＡＦまたはタッチレリーズが可能であることを特徴とする請求項１乃至１０のいずれか１項に記載の電子機器。
【請求項１２】
前記タッチＡＦを有効とするか無効とするかの設定が可能であり、前記タッチＡＦが無効と設定されている場合には、前記ライブビュー画像を表示する画面であっても前記第２の画面として扱うことを特徴とする請求項１１記載の電子機器。
【請求項１３】
前記第２の画面は、前記ライブビュー画像の表示されない、複数の撮影設定の設定内容が表示された設定画面であることを特徴とする請求項１１又は１２に記載の電子機器。
【請求項１４】
前記第２の画面は、前記ライブビュー画像の表示されない、複数の横長のメニュー項目が縦に並んだメニュー画面であることを特徴とする請求項１１乃至１３のいずれか１項に記載された電子機器。
【請求項１５】
静電容量方式によりタッチ位置を検出する複数のセンサ電極を有するタッチパネルを含む表示装置における前記タッチパネルの制御方法であって、
前記表示装置への第１の画面の表示中は、前記タッチパネルの特定の領域内でのタッチ位置を検出するために前記複数のセンサ電極のうちスキャンするセンサ電極の数を第１の数とし、前記表示装置への第２の画面の表示中は、前記タッチパネルの前記特定の領域内でのタッチ位置を検出するために前記複数のセンサ電極のうちスキャンするセンサ電極の数を前記第１の数よりも少ない第２の数とするように前記タッチパネルを制御する制御ステップを有し、
前記特定の領域は、前記第１の画面の表示中において全体がタッチ可能領域であり、かつ、前記第２の画面の表示中において全体にタッチアイテムが表示される領域であることを特徴とするタッチパネルの制御方法。
【請求項１６】
コンピュータを、請求項１乃至１４のいずれか１項に記載された電子機器の各手段として機能させるためのプログラム。
【請求項１７】
コンピュータを、請求項１乃至１４のいずれか１項に記載された電子機器の各手段として機能させるためのプログラムを格納した、コンピュータが読み取り可能な記憶媒体。
【発明の詳細な説明】
【技術分野】
【０００１】
本発明は、静電容量方式のタッチパネルを有する表示装置を備える電子機器、タッチパネルの制御方法、タッチパネルの制御方法をコンピュータに実行させるプログラム及び記憶媒体に関する。
【背景技術】
【０００２】
近年、タッチパネルを有する表示装置を備える電子機器が普及している。タッチパネルの操作には、入力対象と操作対象が一致しているために、直感的に、且つ、簡単に行うことができる等の利点がある。特に、デジタルカメラ等の撮像装置やスマートフォン（携帯通信機器）等の表示装置へのタッチパネルの搭載が進んでおり、これらの電子機器では、ユーザは、撮影画面や操作画面を表示装置に表示して、所望する操作を簡単に行うことができる。
【０００３】
タッチパネルでのタッチ位置の検出方式としては、静電容量方式と呼ばれるものが多く普及している。静電容量方式のタッチパネルは、一般的に、複数のタッチセンサ（センサ電極）を列方向に接続された列センサ（列電極）と、複数のタッチセンサが行方向に接続された行センサ（行電極）とが、平面内で互いに直交するように格子状に配置された構造を有する。そして、タッチ位置の検出は、列センサ又は行センサにパルス電圧を印加して電流を流すことによりスキャンを行い、スキャン時に発生した電流量を静電容量変化として測定することによって行われる。
【０００４】
タッチパネルでのスキャン方式には、相互容量スキャン方式と自己容量スキャン方式とがある。相互容量スキャン方式では、列センサ又は行センサのいずれか一方のセンサにパルス電圧を印加したときに、列センサと行センサの交点における容量を経由して他方のセンサに電流が流れることを利用して、他方のセンサでセンシングを行う。こうして、列センサと行センサの交点の容量変化を読み取ることによって、タッチ位置を検出することができる。一方、自己容量スキャンでは、列センサと行センサの両方に同相のパルス電圧を順番に印加することにより、列センサと行センサの交点の容量での電流発生をキャンセルし、列センサと行センサの１本ずつの容量変化を読み取ることによってタッチ位置を検出する。
【０００５】
このように、タッチパネルでは、タッチ操作の検出のためのスキャン動作時に電力を消費する。そこで、省電力化のために、通常は全てのセンサに対してスキャンを行い、所定時間の間、タッチが検出されなかった場合に、センサを間引いてスキャンを行うモードに移行し、スキャンするセンサ数を減らす方法が提案されている（特許文献１参照）。
【先行技術文献】
【特許文献】
【０００６】
【特許文献１】特開２００９−１９３４８４号公報
【発明の概要】
【発明が解決しようとする課題】
【０００７】
しかしながら、上記特許文献１に記載されている技術では、タッチ位置を高精度に検出することが要求される画面で間引きスキャンが行われていると、タッチ位置を正確に検出することができないおそれがある。また、タッチパネルを搭載した電子機器では、常に消費電力の削減が求められている。
【０００８】
本発明は、タッチ位置を検出するための必要な精度を確保しながら、更なる省電力化を可能とするタッチパネルを備える電子機器を提供することを目的とする。
【課題を解決するための手段】
【０００９】
本発明に係る電子機器は、静電容量方式の複数のセンサ電極を有するタッチパネルを含む表示装置と、前記表示装置への第１の画面の表示中は、前記タッチパネルの特定の領域内でのタッチ位置を検出するために前記複数のセンサ電極のうちスキャンするセンサ電極の数を第１の数とし、前記表示装置への第２の画面の表示中は、前記タッチパネルの前記特定の領域内でのタッチ位置を検出するために前記複数のセンサ電極のうちスキャンするセンサ電極の数を前記第１の数よりも少ない第２の数とするように前記タッチパネルを制御する制御手段とを有し、前記特定の領域は、前記第１の画面の表示中において、その全体がタッチ可能領域であり、かつ、前記第２の画面の表示中において、その全体にタッチアイテムが表示される領域であることを特徴とする。
【発明の効果】
【００１０】
本発明に係るタッチパネルを備える電子機器よれば、タッチ位置を検出するための必要な精度を確保しながら、更なる省電力化を実現することができる。
【図面の簡単な説明】
【００１１】
【図１】本発明の実施形態に係る撮像装置の概略構成を示すブロック図である。
【図２】図１の撮像装置が備える表示装置に設けられたタッチパネルの概略構成を説明する図である。
【図３】図２のタッチパネルの制御方法を説明するフローチャートである。
【図４】図１の撮像装置の表示装置に表示される撮影条件の設定画面の一例と、設定画面内でのタッチアイテムとタッチセンサの位置関係を説明する図である。
【図５】図１の撮像装置の表示装置に表示される設定画面の別の例と、設定画面内でのタッチアイテムとタッチセンサの位置関係を説明する図である。
【発明を実施するための形態】
【００１２】
以下、本発明の実施形態について、添付図面を参照して詳細に説明する。ここでは、本発明に係る電子機器の一例として、撮像装置を取り上げることとする。
【００１３】
図１は、本発明の実施形態に係る撮像装置１００の概略構成を示すブロック図である。撮像装置１００は、具体的には、デジタルスチルカメラである。撮像装置１００は、撮像素子１０１、Ａ／Ｄ変換部１０２、画像処理部１０３、メモリ制御部１０４、システム制御部１０５、メモリ１０６、レリーズスイッチ１０７、モード切替スイッチ１０８、操作部１０９、不揮発性メモリ１１０及び外部着脱メモリを備える。また、撮像装置１００は表示装置１１２を備え、表示装置１１２は、液晶パネル表示部１１３、バックライト照明部１１４及びタッチパネル部１１５を有する。
【００１４】
撮像素子１０１は、例えば、ＣＣＤセンサやＣＭＯＳセンサ等のイメージセンサである。不図示のレンズを通して入射した光が撮像素子１０１に光学像として結像すると、撮像素子１０１は、光電変換により光学像をアナログ電気信号に変換し、生成したアナログ電気信号をＡ／Ｄ変換部１０２へ出力する。Ａ／Ｄ変換部１０２へ入力されたアナログ電気信号は、Ａ／Ｄ変換部１０２によりデジタル信号（画像データ）に変換される。メモリ制御部１０４とシステム制御部１０５による制御下で、Ａ／Ｄ変換部１０２により生成された画像データは一時的にメモリ１０６に格納される。
【００１５】
画像処理部１０３は、メモリ１０６に一時的に格納された画像データや外部着脱メモリ１１１から読み出された画像データに対して、所定の画素補間処理や色変換処理等の画像処理を行う。また、画像処理部１０３は、メモリ１０６に格納された各種の画像データから、表示装置１１２に表示する画像等の画像データを生成する。メモリ制御部１０４は、Ａ／Ｄ変換部１０２、画像処理部１０３、システム制御部１０５、メモリ１０６及び表示装置１１２間のデータの送受信を制御する。
【００１６】
システム制御部１０５は、ＣＰＵ等の演算処理装置を有し、不揮発性メモリ１１０に格納された各種のプログラムをメモリ１０６のワーク領域に展開し、メモリ１０６の演算用領域を利用して各種の演算を実行することにより、撮像装置１００の全体的な制御を行う。メモリ１０６は、システム制御部１０５が実行するプログラムや各種のパラメータのスタック領域、ステータス記憶領域、演算用領域、ワーク領域、画像表示データ用領域等を有する記憶媒体である。
【００１７】
レリーズスイッチ１０７は、半押しでオンするスイッチＳＷ１と、全押しでオンするスイッチＳＷ２とを有する。スイッチＳＷ１がオンすると、システム制御部１０５により、撮影のための露出条件の設定や被写体に対する合焦動作が行われる。また、スイッチＳＷ２がオンすると、撮像素子１０１に対する露光から画像データの生成、画像処理、外部着脱メモリ１１１へ記憶までの一連の撮影処理が行われる。
【００１８】
モード切替スイッチ１０８は、撮像装置１００の動作モードを切り替える。動作モードとしては、静止画撮影モードや動画撮影モード、再生モード等がある。なお、静止画撮影モードには、オート撮影モード、マニュアルモード、撮影シーン別の各種シーンモード、プログラムＡＥモード、被写体像をリアルタイムに表示装置１１２に表示するライブビューモード等がある。操作部１０９は、システム制御部１０５に対して、各種の動作指示を入力するためのボタンやレバー等である。
【００１９】
なお、表示装置１１２のタッチパネル部１１５は、モード切替スイッチ１０８や操作部１０９として機能することができる。即ち、表示装置１１２に表示される種々のタッチアイテムをタッチパネル部１１５に対するタッチ操作により選択することにより、システム制御部１０５に対して、動作モードの切り替えや各種の動作指示を行うことができる。
【００２０】
不揮発性メモリ１１０は、電気的な消去と記憶が可能な記憶媒体であり、例えば、フラッシュメモリやＥＥＰＲＯＭ等である。不揮発性メモリ１１０には、撮影条件が保存され、また、撮像装置１００を制御するプログラム等が格納される。外部着脱メモリ１１１は、画像データを記憶するためのコンパクトフラッシュ(登録商標)等の半導体記憶装置である。なお、撮像装置１００のハードウェア構成は、上記構成に限定されるものではない。
【００２１】
表示装置１１２の液晶パネル表示部１１３には、システム制御部１０５の指示により、メモリ１０６の画像表示データ用領域に格納されたメニュー画面や撮影中のスルー画像、外部着脱メモリ１１１に格納された画像ファイルの画像等が表示される。バックライト照明部１１４は、液晶パネル表示部１１３の画面の明るさを調整する光源である。タッチパネル部１１５は、液晶パネル表示部１１３に重畳配置され、液晶パネル表示部１１３に表示された各種のタッチアイテムに対するタッチ操作を検出する。
【００２２】
図２は、タッチパネル部１１５の概略構成を説明する図である。タッチパネル部１１５は、パネル部２００及びタッチパネルドライバ２１０を有し、静電容量方式によりパネル部２００に対するタッチ操作を検出する。
【００２３】
パネル部２００は、指等の電導物体との間に容量を発生させる複数のタッチセンサ２２０（センサ電極）が二次元平面上に格子状に配置された構造を有する。複数のタッチセンサ２２０は、列方向に接続されて、列方向と直交する行方向に配列された複数の列センサ２２１（列電極）と、行方向に接続されて列方向に配列された複数の行センサ２２２（行電極）とに分けられる。
【００２４】
パネル部２００を制御するタッチパネルドライバ２１０は、タッチパネル制御部２１１、タッチ検出部２１２及び座標演算部２１３を有する。タッチパネル制御部２１１は、タッチセンサ２２０に対するタッチ位置での静電容量の変化量を測定するために、列センサ２２１と行センサ２２２のそれぞれに、自己容量スキャン又は相互容量スキャンを実行する制御を行う。タッチ検出部２１２は、自己容量スキャン又は相互容量スキャンによって得られた静電容量の変化量を所定のタッチ検出閾値と比較することにより、パネル部２００に対するタッチ操作の有無を判定する。座標演算部２１３は、列センサ２２１と行センサ２２２の静電容量の変化量に基づき、例えば重心演算等によって、タッチ位置の座標を算出する。
【００２５】
本実施形態では、表示装置１１２に表示される画面が、タッチ位置を検出するために高い分解能が求められる第１の画面に対して相対的に低い分解能で足りる第２の画面である場合に、スキャンするタッチセンサ２２０の数を少なくする制御を行う。以下、このような制御について詳細に説明する。
【００２６】
図３は、タッチパネル部１１５の制御方法を説明するフローチャートである。図３に示す各ステップの処理は、システム制御部１０５が、所定のプログラムを不揮発性メモリ１１０から読み出してメモリ１０６に展開し、撮像装置１００を構成する各部の動作を制御することによって実現される。
【００２７】
ステップＳ３０１においてシステム制御部１０５は、タッチパネルドライバ２１０を制御して、表示装置１１２に表示された表示画像に応じた列センサ２２１と行センサ２２２の数で、タッチパネル部１１５でのスキャンを実行する。例えば、撮像装置１００が、撮像素子１０１によって取得される被写体像（スルー画像、ライブビュー画像）がリアルタイムに表示装置１１２に表示されるライブビューモードに設定されているとする。ライブビューモードでは、タッチパネル部１１５上でのタッチ位置にピントを合わせるタッチＡＦ（オートフォーカス）やタッチレリーズが可能であり、表示装置１１２に表示されている画面全体がタッチ可能領域である。また、小さな被写体にも正確にピントを合わせることが必要となるため、タッチ位置を高精度に検出することが求められる。このように、タッチ位置に制限がなく、タッチ位置の検出に高い分解能が求められる場合に、タッチパネル制御部２１１は、全ての列センサ２２１と行センサ２２２に対してパルス電圧を印加するスキャンを行い、タッチ位置を検出する。なお、ライブビューモードに設定されており、ライブビュー画像が表示されている場合であっても、タッチＡＦの有効／無効の設定によってタッチＡＦが無効とされている（タッチＡＦがオフに設定されている）場合には、タッチ位置の検出に高い分解能は求められない。この場合、ライブビュー画像に重畳して表示されたタッチボタン等に比較的大きなタッチ対象に対してタッチがあったか否かを判定することができればよい。そのため、ライブビュー画像を表示している場合であっても、タッチＡＦが無効に設定されている場合は、第２の画面として扱ってもよい。すなわち、後述する撮影条件の設定画面のように、スキャン対象の列センサ２２１と行センサ２２２を千鳥状に間引くように抽出し、スキャンする列センサ２２１と行センサ２２２の数を全体的に減らして、タッチ位置を検出する分解能を下げるようにしてもよい。
【００２８】
続くステップＳ３０２においてシステム制御部１０５は、撮像装置１００の使用者（撮影者）の操作により、表示装置１１２の表示画面が切り替えられたか否かを判定する。システム制御部１０５は、表示画面が切り替えられた場合（Ｓ３０２でＹＥＳ）、処理をステップＳ３０３へ進め、表示画面が切り替えらない場合（Ｓ３０２でＮＯ）、スキャン方法を変更する必要はないため、本処理を終了させる。以下、本実施形態では、ステップＳ３０２の判定が“ＹＥＳ”となった場合の例として、ライブビュー画像が表示されている画面から、ライブビュー画像の表示されない、撮影条件（各種撮影設定）の設定内容が表示された画面（撮影条件の設定画面）に切り替えられたものとする。
【００２９】
ステップＳ３０３においてシステム制御部１０５は、タッチパネル制御部２１１を制御して、ステップＳ３０２で切り替えられた表示画面に対してスキャン対象となる列センサ２２１と行センサ２２２を抽出する。ステップＳ３０３の処理について、図４を参照して説明する。
【００３０】
図４（ａ）は、ステップＳ３０２により表示装置１１２に表示された撮影条件の設定画面の一例を示す図である。図４（ｂ）は、図４（ａ）に示される複数のタッチアイテム４００と列センサ２２１及び行センサ２２２との位置関係を説明する図である。図４（ａ）、（ｂ）において、破線で囲まれたブロックのそれぞれがタッチアイテム４００である。
【００３１】
図４（ａ）の撮影条件の設定画面では、複数のタッチアイテム４００が表示装置１１２の画面全体に配置されて表示されている。また、それぞれのタッチアイテム４００は、１つのタッチセンサ２２０と比べて大きく、複数のタッチセンサ２２０上に乗っている。このような画面の場合、タッチ操作が可能な範囲は画面全体にわたっているが、タッチ位置の検出に高い精度は必要とされない。そこで、タッチパネル制御部２１１は、例えば、スキャン対象の列センサ２２１と行センサ２２２を千鳥状に間引くように抽出し、スキャンする列センサ２２１と行センサ２２２の数を全体的に減らして、タッチ位置を検出する分解能を下げる。
【００３２】
そして、続くステップＳ３０４においてシステム制御部１０５は、タッチパネル制御部２１１を制御して、ステップＳ３０３にてスキャン対象として抽出された列センサ２２１と行センサ２２２に対してのみスキャンを行う。例えば、列センサ２２１と行センサ２２２とを千鳥状に間引いてスキャンを行う場合、タッチパネル制御部２１１は、列センサ２２１と行センサ２２２に対してパルス電圧を印加するラインを１フレーム毎に変える。つまり、列センサ２２１の奇数ラインＸ（２ｎ−１）及び行センサ２２２の奇数ライン（２ｎ−１）へのパルス電圧印加と、列センサ２２１の偶数ラインＸ（２ｎ）及び行センサ２２２の偶数ライン（２ｎ）へのパルス電圧印加とを１フレーム毎に交互に行う。なお、“ｎ”は、自然数である。
【００３３】
具体的には、図４（ｂ）の１フレーム目では列センサ２２１の奇数ラインＸ１，Ｘ３，…，Ｘ１３と行センサ２２２の奇数ラインＹ１，Ｙ３，…，Ｙ９にパルス電圧αを印加し、パルス電圧αが印加されたラインに流れる電流量を静電容量の変化量として測定する。２フレーム目では、列センサ２２１の偶数ラインＸ２，Ｘ４，…，Ｘ１２及び行センサ２２２の偶数ラインＹ２，Ｙ４，…，Ｙ８にパルス電圧βを印加し、パルス電圧βが印加されたラインに流れる電流量を静電容量の変化量として測定する。こうして、２フレーム単位でみると、千鳥状に間引いた形でスキャンが行われることになる。ステップＳ３０４により、本処理は終了となる。
【００３４】
なお、図３のフローチャートは、１回の表示画面の切り替えについて示したものである。そのため、ステップＳ３０２の判定がＮＯとなる場合とステップＳ３０４の処理後に、本処理を終了させている。これに対して、実際の撮影現場では、ステップＳ３０４の処理後に、再度、表示装置１１２の表示画面が、撮影のために切り替えられことが多い。よって、図３のフローは、ステップＳ３０４の後にステップＳ３０２へ戻り、ステップＳ３０２の判定がＮＯとなった場合にステップＳ３０１へ戻り、例えば、撮像装置１００の電源がオフされるまで処理が繰り返される構成とすることができる。これにより、例えば、表示装置１１２に表示された表示画面が、撮影条件の設定画面からライブビュー画像を表示する画面に切り替えられた場合には、タッチパネル制御部２１１により、全ての列センサ２２１と行センサ２２２に対してスキャンが実行されることになる。
【００３５】
上記説明の通り、本実施形態では、表示装置１１２に表示される表示画面毎に、タッチ位置を検出するために必要とされる分解能に応じて列センサ２２１と行センサ２２２のスキャン方法を切り替える。これにより、タッチ位置の検出に必要とされる精度を確保しながら、省電力化を図ることができる。
【００３６】
なお、本実施形態では、タッチ位置の検出に高い分解能が要求されるために全てのタッチセンサ２２０をスキャンすることが望ましい第１の画面の例として、ライブビュー画像の表示画面を取り上げた。しかし、第１の画面は、これに限定されず、精密なタッチ操作が必要とされる画面では、全てのタッチセンサ２２０をスキャンすることが望ましい。例えば、第１の画面として、表示される複数のタッチアイテムのうち、最小サイズのタッチアイテムが所定のサイズ未満である画面、手書き文字や手書きイラスト等の、タッチ位置の軌跡に描画を行うタッチ描画画面、動くタッチ対象をタッチする画面等を挙げることができる。最小サイズが所定のサイズ未満のタッチアイテムとしては、１つのタッチセンサ２２０の大きさと同等又はそれ以下の大きさのものが挙げられる。また、タッチ描画画面では、タッチ位置の軌跡に対して描画するオブジェクトの太さの設定（いわゆる、ペンの太さの設定）所定サイズより細い場合に限って、第１の画面として扱って、全てのタッチセンサ２２０にパルス電圧を印加するようにしてもよい。ペンの太さが所定サイズ以上に太い場合には、かすれなどの問題が生じにくく、高い分解能は要求されないので、列センサ２２１と行センサ２２２からスキャン対象のラインを間引くことが可能な第２の画面として扱う。
【００３７】
一方、タッチ位置の検出に高い分解能は要求されず、列センサ２２１と行センサ２２２からスキャン対象のラインを間引くことが可能な第２の画面の例として、撮影条件の設定画面を取り上げた。しかし、第２の画面は、これに限定されず、精密なタッチ操作が必要とされない（大まかなタッチ操作で操作が可能な）画面であればよい。例えば、第２の画面として、タッチ可能な複数のタッチアイテムのうち、最小のサイズの表示アイテムが所定のサイズ以上である画面等が挙げられる。
【００３８】
次に、列センサ２２１と行センサ２２２からスキャン対象のラインを間引くことが可能な第２の画面の別の例について、図５を参照して説明する。図５（ａ）は、ステップＳ３０２により表示装置１１２に表示される第２の画面の別の例としてのメニュー画面を示す図である。メニュー画面は、撮像装置１００の各種設定や機能の実行を行うための画面であり、メニュー画面に表示された複数のメニュー項目のうち何れかがタッチにより選択されると、選択されたメニュー項目に関する設定の変更あるいは機能の実行が行われる。メニュー画面には、横長のメニュー項目が縦方向（行方向）に並んで表示される。また、図５（ｂ）は、図５（ａ）に示される複数のタッチアイテム５００（メニュー項目の表示領域）と列センサ２２１及び行センサ２２２との位置関係を説明する図である。図５（ａ），（ｂ）において、破線で囲まれたブロックのそれぞれがタッチアイテム５００である。
【００３９】
タッチアイテム５００は、横長（行センサ２２２と略平行）の形状であるため、縦方向（列センサ２２１と略平行な方向）では、行センサ２２２の１ライン分の幅しか有していないが、横方向では列センサ２２１の複数ライン分の幅を有している。この場合、縦方向では、タッチ位置の検出精度を高めるために高い分解能が必要となるが、横方向（行センサ２２２と略平行な方向）でのタッチ位置の検出精度には高い分解能は不要である。そこで、行センサ２２２については間引きせずにスキャンを行い、列センサ２２１についてのみ間引きしたスキャンを行う。これにより、タッチ位置を検出するための必要な精度を確保しながら、消費電力を低減させることができる。
【００４０】
具体的には、列センサ２２１の奇数ラインＸ１，Ｘ３，…，Ｘ１３にはパルス電圧の印加を行わず、偶数ラインＸ２，Ｘ４，…，Ｘ１２にのみパルス電圧を印加し、全ての行センサ２２２に流れる電流量を検出することにより、静電容量の変化量を測定する。このように、タッチアイテム５００が所定のアスペクト比よりも横長な行方向に長い形状の場合、スキャンのためにパルス電圧を印加する列センサ２２１の数を減らすことで、省電力化を図ることができる。同様に、タッチアイテム５００が所定のアスペクト比よりも縦長な列方向に長い形状の場合には、スキャンのためにパルス電圧を印加する行センサ２２２の数を減らすことで、タッチ位置を検出するための必要な精度を確保しながら、省電力化を図ることができる。
【００４１】
以上、本発明の好ましい実施形態について説明したが、本発明はこれらの実施形態に限定されず、その要旨の範囲内で種々の変形及び変更が可能である。例えば、図４（ａ）の表示画像では、行センサ２２２のラインＹ９上にはタッチアイテム４００はない。この場合、行センサ２２２のラインＹ９にはパルス電圧を印加しないようにしてもよく、これにより、消費電力を更に削減することが可能となる。同様に、図５（ａ）の表示画像では、行センサ２２２のラインＹ１〜Ｙ４，Ｙ９上と列センサ２２１のラインＸ１〜Ｘ６にはタッチアイテム５００はない。この場合、行センサ２２２のラインＹ１〜Ｙ４，Ｙ９上と列センサ２２１のラインＸ１〜Ｘ６にはパルス電圧を印加しないようにしてもよく、これにより、消費電力を更に削減することが可能となる。更に、図５（ａ）の表示画像については、列センサ２２１を１ライン毎に間引いてスキャンを実行する実施形態を説明した。しかし、これに限らず、タッチアイテム５００の行方向の長さに応じて、必要なタッチ位置の検出精度が得られる限りにおいて、例えば、２ラインを空けて間引いたスキャンを実行してもよい。
【００４２】
また、上記実施形態では、撮像装置１００はデジタルスチルカメラであるとして説明したが、撮像装置１００は、デジタルビデオカメラであってもよい。また、上記実施形態では、本発明に係る電子機器として、撮像装置１００を取り上げたが、本発明は、これに限定されるものではなく、タッチパネルを有する表示装置を備える各種の電子機器に適用することができる。例えば、本発明に係る電子機器としては、パーソナルコンピュータ、ＰＤＡ、携帯電話端末（スマートフォン）、携帯型の画像ビューワ、ディスプレイを備えるプリンタ装置、デジタルフォトフレーム、音楽プレーヤ、ゲーム機、電子ブックリーダ等が挙げられる。
【００４３】
また、上記実施形態では、本は詰めに係る電子機器の一例である撮像装置１００として、装置の全体的な制御を１つのシステム制御部１０５が行う構成を有するものを取り上げた。しかし、電子機器の全体的制御を１つのハードウェアが行う構成に限定されず、本発明に係る電子機器は、複数のハードウェアが処理を分担することによって装置の全体的制御を行うものであってもよい。
【００４４】
本発明は、上述した実施形態の１以上の機能を実現するプログラムをネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４５】
１００    撮像装置
１０１    撮像素子
１０５    システム制御部
１１２    表示装置
１１５    タッチパネル部
２００    パネル部
２１０    タッチパネルドライバ
２１１    タッチパネル制御部
２１２    タッチ検出部
２１３    座標演算部
【図１】
0006708402.tif 000002
【図２】
0006708402.tif 000003
【図３】
0006708402.tif 000004
【図４】
0006708402.tif 000005
【図５】
0006708402.tif 000006